(57)【要約】      （修正有）【課題】揺り籠の様な動きをする自転車の車輪を利用したカプセルルームを提供する。【解決手段】自転車の車輪３のリム５に、平板２を、リム５の円周に沿って取り付け、人が筒の上部に設けた入口より出入りできる筒状のものを作り、筒の両端を床より浮かせて、自転車の車輪３のハブを支持板１ａ、１ｂで固定し、筒の内側は自転車の車輪３のスポークを取り外し、このスポーク穴を利用して、筒の強度を考慮した複数個を筒の外壁板に配置固定した筒状の居住部と、揺り籠のように、筒の中で気持よく睡眠を取れるように、筒軸を中心に筒の両端の自転車の車輪３のハブが滑らかな揺れを可能にした機構を有する。【選択図】図１
0003221105.tif 000002
【実用新案登録請求の範囲】
【請求項１】
自転車の車輪を利用し、人間の入るカプセルを作る。
これは気楽に利用できる小空間となるからだ。スマートデバイスの利用と併せ、このカプセルの利用が心身共にリフレッシュする場所となる事を特徴とする。
【請求項２】
このカプセルは、“ゆりかご”の様に動く事が特徴だ。これにより、良質な睡眠とローリングによる体幹の調整が出来るからだ。カプセルが少ない力で揺れる、この事は大きな特徴である。
【考案の詳細な説明】
【技術分野】
【０００１】本考案は自転車の車輪を利用したカプセルルームが“揺り籠”の様な動きをするものである。
【背景技術】
【０００２】従来のカプセルルームは睡眠をとるだけのものである。回転したり揺れたりしません。
【先行技術文献】
【特許文献】
【０００３】
【特許文献１】特開２０１７−１１８９０４
【考案の概要】
【考案が解決しようとする課題】
【０００４】先行技術の中に動きをするカプセルルームが無い。狭くて窮屈なカプセルは動きを加え、寝ながらにして体幹を整える機構を考えやすい。
【考案が解決しようとする手段】
【０００５】請求項の如く、カプセルはコンパクトである。揺れは、大掛かりな機構でなく５００ｇ程の分銅をギアモーターで周回させるものです。人間の重さの変化も敷布等による重心の位置の変化も、この分銅の周回スピードの調整で解決しました。
【０００６】健康器具の意味もある。毎日利用する事は体幹を整えます。寝ながら筋肉も間接的に動かします。“揺り籠”は、自然の動きであるもので、スムーズに受け入れられます。
【考案の効果】
【０００７】寝具も多くは不用。“揺り籠”効果によって夢心地の内にストレスも忘れ健康を取り戻せる。閉ざされた空間の為、物事に集中もできる。色々な利用者の環境で特徴が多面化できる。
【図面の簡単な説明】
【０００８】
【図１】本考案のカプセル図である。
【図２】本考案のカプセルの揺すりの動力図である。
【考案を実施するための形態】
【０００９】以下、添付図に従い一実施例を説明する。図１の全体図を図１−１。人の出入口部分の大きさは筒外周の半分未満にする事に注意。図１−３の組み立て図。Ｂは構造のコアとなる大切な所である。３，４，５は図１−２の様に２に止める時に２−１で左右から９０°毎に各４箇所を押さえる。図２は１ａ側に中心より少し上部に７を取り付ける。図２−２の組み立て図で、７−３をカプセルの共振数に近くで回転させる事。最小のエネルギーでローリングさせる。重心を極力７−５に近づける。又直流モーター速度調整器を電源に取り付けて併せて行うと共振をさせやすい。
【実施例】
【００１０】カプセルが共振して動いた時に、支持１が安定した状態でないと“きしみ音“、異常振動の原因になります。真夏時は狭いカプセル内が高温になります。ペルチェ素子を利用した製品を利用すると、ここに相応しい冷暖房設備となります。”スマートスピーカー”の利用もカプセル内の使用に相応しい製品です。
【産業上の利用可能性】
【００１１】避難所、学校、介護施設等に使用できると考える。プライバシも容易に守られる。車との電源を共有します。屋外のテントの中でも容易に設置可能。介護に於いては利用者の運動不足やストレス解消につながります。
【符号の説明】
【００１２】１カプセルの支持材
１ａ：足元側、１ｂ：頭部側
２構造板（板幅９０ｗスポークの穴２ヶで固定）
３車輪（自転車の前輪７００Φ）
４カプセル前後の仕切板（３の軸ボルトを２と共に固定）
５リム（車輪３のスポークを取り除いた物）
６制動装置
１：パット、２：カプセル外面を１で押さえるバネ、
３：ブレーキパットを固定する板、４：ブレーキワイヤー）
７振り子の駆動装置
１：ギヤーモーター、２：フランジ、３：分銅、４：回転半径調整板、
５：モーター取り付け板）
【図１】
0003221105.tif 000003
【図２】
0003221105.tif 000004
【手続補正書】
【提出日】平成30年10月15日(2018.10.15)
【手続補正１】
【補正対象書類名】実用新案登録請求の範囲
【補正対象項目名】全文
【補正方法】変更
【補正の内容】
【実用新案登録請求の範囲】
【請求項１】
カプセルルームの形状は、自転車の車輪とこのリムに，外壁となる板をそれらの円周に沿って取り付け筒状にしたものである。両端は車輪であり、この車軸に筒が回転するように支持材で浮かし固定する。筒の上部に人の入口がある。請求項２で示すカプセルを揺らす為に、筒軸が一直線である必要がある。これは十分堅牢でる故で、この事を容易に満足させてくれる。
【請求項２】
請求項１の筒が回転する。ここで“ゆりかご”の様に動かす仕組みを考える。筒の回転軸と垂直線上の水平面で、分銅を円移動させると揺れモーメントが単振動となり筒は揺れる。この現象は、この周期と筒の固有振動数を近づける事で生じる（共振）。分銅を動かす直流ギアモーターの回転制御で、揺れが得られる。自然現象を利用した事が特徴である。
【手続補正２】
【補正対象書類名】明細書
【補正対象項目名】０００９
【補正方法】変更
【補正の内容】
【０００９】以下、添付図に従い一実施例を説明する。図１の全体図を図１−１。人の出入口部分の大きさは筒外周の半分未満にする事に注意。図１−３は組立図。図中のＢは構造のコアとなる大切な所である。３，４，５は図１−２の様に２にとめる時に２ａで補強する。図２は２ａ側に中心より少し上部に７を取り付ける。図２−２の組立図で、７ｃをカプセルの共振数の近くで回転させる。これでローリングできる。
【手続補正３】
【補正対象書類名】明細書
【補正対象項目名】００１２
【補正方法】変更
【補正の内容】
【００１２】１カプセルの支持材
１ａ：足元側、１ｂ：頭部側
２構造板（板幅９０ｗ、リムのスポーク穴２ケで固定）
３車輪（自転車の前輪７００Φ）
４カプセルルームの外部との仕切り板（４ａ：換気口）
５リム（３のスポークを取り除いたもの）
６制動装置（リムに取り付けた２の隙間に設けた閂棒を１に貫通）
７“揺すり“の駆動装置
７ａ：ギヤーモーター、７ｂ：フランジ、７ｃ：分銅、７ｄ：分銅取付材、７ｅ：モーター取付材、７ｆ：モーターの回転軸を支える（ボルトナットと受けベアリング）
【手続補正４】
【補正対象書類名】図面
【補正対象項目名】全図
【補正方法】変更
【補正の内容】
【図１】
0003221105.tif 000005
【図２】
0003221105.tif 000006
【手続補正書】
【提出日】平成30年11月30日(2018.11.30)
【手続補正１】
【補正対象書類名】実用新案登録請求の範囲
【補正対象項目名】全文
【補正方法】変更
【補正の内容】
【実用新案登録請求の範囲】
【請求項１】
自転車の車輪のリムに外壁となる板をその円周に沿って取り付け、筒状にしたもで、両端に自転車の車輪を取り付け、この筒が筒軸を中心に揺らぐように支持材で浮かし、筒の上部に人の出入りが可能な開口部を備えた揺らぐカプセルルーム。
【請求項２】
前記筒の回転軸と垂直線上の水平面で、速度制御装置付きの直流モーターで分銅を円運動させると、自然現象的に揺れの単振動力が円運動面に上下に発生し、前記筒が回転する様に揺れるこの揺れを利用した請求項１に記載の揺らぐカプセルルーム。
【手続補正書】
【提出日】平成31年2月13日(2019.2.13)
【手続補正１】
【補正対象書類名】実用新案登録請求の範囲
【補正対象項目名】全文
【補正方法】変更
【補正の内容】
【実用新案登録請求の範囲】
【請求項１】
平板を自転車の車輪と組み合わせ、人が筒の上部に設けた入口より出入りできる筒状のものを作り、筒の両端を床より浮かし、自転車の車輪のハブを支持板で固定し、筒の内側は自転車の車輪のスポークを取り外し、このスポーク穴を利用して、筒の強度を考慮した複数個を筒の外壁板に配置固定した筒状の居住部と、
揺り籠のように、筒の中で気持よく睡眠を取れるように、筒軸を中心に筒の両端の自転車の車輪のハブが滑らかな揺れを可能にした機構を有する事を特徴にした揺れるカプセルルーム
【請求項２】
筒軸上の水平面に設けた板の上で、分銅を円運動させ、
その動力は直流モーターで、
モーターの速度制御は、筒の揺れと共振させながら行い、
人が、筒軸の真下になるように筒の中に横になり、
バランスのある単振動の継続となり、自然現象を利用した揺れが得られる請求項１の揺らぐカプセルルーム